(57)【要約】【課題】引戸と床面との間の隙間に高さの違いがあっても、その隙間の調整や磁石の取り替えなどの必要がない安価な引戸ガイド装置を提供する。【解決手段】引戸ガイド装置Ｒは、引戸の吊り込み時に床面ｆとの間の隙間ｄが所定高さ以下のときは、第１係止凸部７０を第１受け止め部６５に係止して吸着台４５を格納空間Ｓに納まる上段位置に保持する一方、所定高さ以上のときは、外部操作部材５０を操作穴５５に押し込んで弾性押圧片６０を弾性変位させ、第１受け止め部６５から第１係止凸部７０を外して第２係止凸部７５を第２受け止め部６６に係止し、吸着台４５を先端部４５ｄが昇降口３４から所定高さ突出する下段位置に受け止めて保持し、吸着台４５の保持高さ位置を隙間ｄの高さに応じて上段位置と下段位置の２段階に調整可能な構成になっている。【選択図】          図１
2013002262.tif 000002
【特許請求の範囲】
【請求項１】
下端面の長さ方向にガイド溝を凹設し、床面との間に隙間を開けた状態で開閉方向に移動自在に吊り込んだ引戸を、開閉時に横振れしないように案内する引戸ガイド装置において、
引戸が移動する軌跡下の床面に間隔を置いて凹設した複数の取付穴に磁性体のガイド突起を出没自在に挿設した床側ガイドと、前記ガイド溝に内設した扉側ガイドとからなり、
該扉側ガイドは、
前記ガイド溝の両端部に嵌め込んで磁力により前記ガイド突起を吸引して立ち上がらせる一対の磁着手段と、前記ガイド溝内の前記磁着手段間に敷設し、立ち上がった前記ガイド突起を係合するガイドレールとからなり、
前記磁着手段は、
内部に格納空間を形成して底部に昇降口を開けた格納ケースと、該格納ケース内で基端部を枢支して揺動自在に片持ちした吸着台と、該吸着台に付設した磁石とを備え、
前記格納ケースには、端面が前記ガイド溝の端部から外部に臨む長さ方向一端に操作穴を前記格納空間に向け貫通し、該操作穴の前記格納空間側に向けて第１受け止め部を突設した弾性押圧片を前記格納空間の手前に立設すると共に、該第１受け止め部より前記吸着台が揺動する方向の下側に第２受け止め部を設ける一方、前記吸着台には、先端部に前記第１受け止め部に係止する第１係止凸部を突設すると共に、該第１係止凸部の揺動方向上側に前記第２受け止め部に係止する第２係止凸部を突設し、
吊り込み時に引戸と床面との間の隙間が所定高さ以下のときは、前記第１係止凸部を前記第１受け止め部に係止して前記吸着台を前記格納空間に納まる上段位置に保持する一方、所定高さ以上のときは、前記操作穴の外部から前記弾性押圧片を押して弾性変位させ、前記第１受け止め部から前記第１係止凸部を外して前記第２係止凸部を前記第２受け止め部に係止して前記吸着台を先端部が前記昇降口から所定高さ突出した下段位置に保持し、該吸着台の保持高さ位置を前記隙間の高さに応じて上段位置と下段位置の２段階に調整可能にしてなることを特徴とする、引戸ガイド装置。
【請求項２】
前記磁着手段は、前記磁石を、前記吸着台の先端側に付設する強磁性の第１磁石と、基端側に付設する弱磁性の第２磁石の２体に分けて形成してなることを特徴とする、請求項１に記載の引戸ガイド装置。
【請求項３】
前記床側ガイドには、前記ガイド突起が出没する突出口の開口縁から外向きに鍔状に延び、前記床面に載せて組み付ける取付板部を有し、該取付板部には、前記突出口の開口縁に向けて漸次低く勾配になった案内溝を設けてなることを特徴とする、請求項１又は２に記載の引戸ガイド装置。
【発明の詳細な説明】
【技術分野】
【０００１】
本発明は、上吊りした引戸を開閉時に開閉方向に対して横振れしないで直進するように案内する引戸ガイド装置に関する。
【背景技術】
【０００２】
従来、この種の引戸ガイド装置の中には、引戸が移動する軌跡下の床面に取付穴を凹設し、その取付穴に上端に磁石を有したガイドピンを上下動自在に挿設する一方、引戸の下端面に凹設した細長いガイド溝内に磁石を有した磁着体を配設し、開閉時、引戸側の磁着体が床側のガイドピン上に至ると、磁力によりガイドピンを引き上げてガイド溝に係合し、引戸が移動する開閉方向に対して横振れしないで直進するように案内する構造にしたものがある（特許文献１参照）。
【先行技術文献】
【特許文献】
【０００３】
【特許文献１】特開平  ８−３２６４０２号公報
【発明の概要】
【発明が解決しようとする課題】
【０００４】
一般に、引戸は、気密性に配慮した部屋であっても、床面との間に僅かに隙間が開いた状態で吊り込まれ、反対に通気性に配慮した部屋では、床面との間に隙間を大きく開けた状態で吊り込まれるなど、床面との間の隙間の大きさにバラツキがある。従って、上述した従来の引戸ガイド装置では、引戸と床面間の隙間が大きいために、引戸側の磁石と床側のガイドピンとが離れ過ぎると、磁力によりガイドピンを引き上げてガイド溝に係合することができない場合がある。従って、従来、そのような場合は、面倒なことに、わざわざ引戸を取り外して床面との間の隙間を調整する必要があるという課題があった。また、引戸側に備える磁石を大型で強磁性のものに取り替えて対処することも考えられるが、磁石は比較的高価であるため、それではコストが著しく高くなるという課題があった。
【０００５】
そこで、本発明の目的は、引戸と床面との間の隙間の大きさに違いがあっても、その隙間の調整や磁石の取り替えなどの必要がない安価な引戸ガイド装置を提供することにある。
【０００６】
そのため、請求項１に記載の発明は、たとえば以下に示す図示実施の形態のとおり、下端面１０ａの長さ方向にガイド溝１２を凹設し、床面ｆとの間に隙間ｄを開けた状態で開閉方向に移動自在に吊持した引戸１０を、開閉時に横振れしないように案内する引戸ガイド装置Ｒにおいて、引戸１０が移動する軌跡下の床面ｆに間隔を置いて凹設した複数の取付穴ｘ・ｙ・ｚに磁性体のガイド突起１５を出没自在に挿設した床側ガイドＧ１と、引戸１０の前記ガイド溝１２に内設した扉側ガイドＧ２とからなり、該扉側ガイドＧ２は、前記ガイド溝１２の両端部に嵌め込んで磁力により前記ガイド突起１５を吸引して立ち上がらせる一対の磁着手段２９・３０と、前記ガイド溝１２内の前記磁着手段２９・３０間に敷設し、立ち上がった前記ガイド突起１５を係合するガイドレール４０とからなり、前記磁着手段２９・３０は、内部に格納空間Ｓを形成して底部３５ａに昇降口３４を開けた格納ケース３５と、該格納ケース３５内で基端部を枢支して揺動自在に片持ちした吸着台４５と、該吸着台４５に付設した磁石Ｍとを備え、前記格納ケース３５には、端面が前記ガイド溝１２の端部から外部に臨む長さ方向一端に操作穴５５を前記格納空間Ｓに向け貫通し、該操作穴５５の前記格納空間Ｓ側に向けて第１受け止め部６５を突設した弾性押圧片６０を前記格納空間Ｓの手前に立設すると共に、該第１受け止め部６５より前記吸着台４５が揺動する方向の下側に第２受け止め部６６を設ける一方、前記吸着台４５には、先端部４５ｄに前記第１受け止め部６５に係止する第１係止凸部７０を突設すると共に、該第１係止凸部７０の揺動方向上側に前記第２受け止め部６６に係止する第２係止凸部７５を突設し、吊り込み時に引戸１０と床面ｆとの間の隙間ｄが所定高さ以下のときは、前記第１係止凸部７０を前記第１受け止め部６５に係止して前記吸着台４５を前記格納空間Ｓに納まる上段位置に保持する一方、所定高さ以上のときは、前記操作穴５５の外部から前記弾性押圧片６０を押して弾性変位させ、前記第１受け止め部６５から前記第１係止凸部７０を外して前記第２係止凸部７５を前記第２受け止め部６６に係止して前記吸着台４５を先端部４５ｄが前記昇降口３４から所定高さ突出した下段位置に保持し、該吸着台４５の保持高さ位置を前記隙間ｄの高さに応じて上段位置と下段位置の２段階に調整可能にしてなることを特徴とする。
【０００７】
請求項２に記載の発明は、請求項１に記載の引戸ガイド装置Ｒにおいて、たとえば以下に示す図示実施の形態のとおり、前記磁着手段２９・３０は、前記磁石Ｍを、前記吸着台４５の先端側に付設する強磁性の第１磁石ｍ１と、基端側に付設する弱磁性の第２磁石ｍ２の２体に分けて形成してなることを特徴とする。
【０００８】
請求項３に記載の発明は、請求項１又は２に記載の引戸ガイド装置Ｒにおいて、たとえば以下に示す図示実施の形態のとおり、前記床側ガイドＧ１には、前記ガイド突起１５が出没する突出口１８の開口縁から外向きに鍔状に延び、前記床面ｆに載せて組み付ける取付板部１４ｂを有し、該取付板部１４ｂには、前記突出口１８の開口縁に向けて漸次低く勾配になった案内溝２３を設けてなることを特徴とする。
【発明の効果】
【０００９】
請求項１に記載の発明によれば、引戸が床面との間に大きく隙間を開けて吊り込まれていても、扉側ガイドにおいて磁着手段の吸着台を、先端部が格納ケースの昇降口から所定高さ突出した下段位置に保持し、その吸着台に付設した磁石が床面近くまで下がって待機するため、磁力を十分に及ぼしてガイド突起を吸引して立ち上げ、ガイドレールに確実に係合させることができる。従って、引戸と床面間の隙間が大きいために引戸側の磁石と床側のガイド突起とが離れ過ぎないように、例えば引戸をわざわざ取り外して床面との間の隙間を調整する作業が必要でなくなり、また、磁力が離れたガイド突起まで及ぶように、元々高価な磁石をより大型な強磁性のものにわざわざ取り替える必要もなくなるため、それだけコストを著しく低減することもできる。他方、引戸と床面との間の隙間が所定高さ以下の場合でも、磁着手段の吸着台は、先端部が昇降口から床面側に突出することなく、格納ケースの格納空間に納まった上段位置に保持されるため、開閉時、引戸を移動するときに、吸着台の先端部が床面に接触して引戸の走行の妨げになることなく、引戸を横振れしないように案内することができる。
【００１０】
しかも、請求項１に記載の発明によれば、引戸ガイド装置は、引戸の吊り込み時に床面との間の隙間が所定高さ以下のときは、第１係止凸部を第１受け止め部に係止して吸着台を格納空間に納まる上段位置に保持する一方、所定高さ以上のときは、操作穴の外部から弾性押圧片を押して弾性変位させ、第１受け止め部から第１係止凸部を外して第２係止凸部を第２受け止め部に係止し、吸着台を先端部が昇降口から所定高さ突出する下段位置に受け止めて保持し、吸着台の保持高さ位置を隙間の高さに応じて上段位置と下段位置の２段階に調整可能な構成であるため、引戸の吊り込み時に床面との間の隙間が所定高さ以上か否かにより、操作穴の外部から弾性押圧片を押して吸着台の保持高さ位置を上段位置と下段位置の２段階に簡単に調整し、吸着台に付着した磁石を、上記隙間の大きさに影響されず、ガイド突起にそれを吸引して立ち上がらせる磁力が有効に作用する床面近くの一定高さの位置に、常に待機させることができ、その結果、引戸を開閉方向に対して横振れしないで直進するようにガイド突起で確実に安定して案内することができる。
【００１１】
加えて、請求項１に記載の発明によれば、引戸ガイド装置は、引戸の吊り込み時、床面との間の隙間が所定高さ以下であるときは、吸着台は、第１係止凸部を第１受け止め部に係止して上段位置に保持したままでよいのに、誤って吸着台の保持高さ位置を下段位置に下げる調整をしたときは、改めて操作穴の外部から弾性押圧片を押して吸着台側へ弾性変位させる一方、その間に、吸着台の先端部を押し上げて第１係止凸部を第１受け止め部に係止させて後に、操作穴を通して弾性押圧片の押し込みを解除すれば、吸着台を上段位置に保持した初期状態に簡単に戻すことができる。
【００１２】
更に、請求項１に記載の発明によれば、引戸ガイド装置は、操作穴の外部から弾性押圧片を押して弾性変位させない限り、吸着台の第１係止凸部は弾性押圧片の第１受け止め部と係止する構成であるため、引戸と床面との間の隙間が所定高さ以下であるために吸着台を下段位置に下げて保持しているときに、振動や衝撃等の外力を受けて吸着台が揺動し、浮き上がろうとしても、第１係止凸部が第１受け止め部に当って浮き上がりを抑え、吸着台の保持高さがガイド突起に有効に磁力の及ばない上段位置に勝手に戻ってしまうのを防止することができる。
【００１３】
請求項２に記載の発明によれば、磁着手段は、磁石を、吸着台上の先端側に付設する強磁性の第１磁石と、基端側に付設する弱磁性の第２磁石の２体に分けて形成し、引戸が開閉方向に移動するとき、第１磁石が、近づいたガイド突起を強い磁力で吸引することにより、一気に引き上げるため、既に引き上げ状態のガイド突起は、続いて吸引する第２磁石の磁力が弱くても、引き上げ状態のまま保持することでき、それ故に、吸着台上の全面にわたり大きな強磁性の磁石を用いる必要がなくなるため、たとえ高価であっても、使用する磁石が全体に小型で済む結果、それだけコストを著しく低く抑えることができる。
【００１４】
請求項３に記載の発明によれば、床側ガイドには、ガイド突起が出没する突出口の開口縁から外向きに鍔状に延び、床面に載せて組み付ける取付板部を有し、その取付板部には突出口の開口縁に向けて漸次低く勾配になった案内溝を設けた構成であるため、ガイド突起の突出口に塵や埃が詰まってガイド突起の引き上げ動作が鈍くなったり、ワックス等の異物でガイド突起が固まったためにガイド突起を強制的に引き上げて掃除をしたり修理したりする必要がある場合に、身の回りにあるマイナスドライバー等の引き抜き具を用い、その先端部を案内溝に滑り込ませて、ガイド突起の頭部と突出口の間に引っ掛けるだけでガイド突起を手間なく簡単に引き上げることができる。
【図面の簡単な説明】
【００１５】
【図１】本発明の一例である引戸ガイド装置を示す斜視図である。
【図２】引戸ガイド装置を備えた引戸構造体を、下部側を一部断面にして引戸の全開状態で示す正面図である。
【図３】（Ａ）床側ガイドを示す分解斜視図、（Ｂ）見る角度を図Ａと違えて床側ガイドを示す分解斜視図である。
【図４】（Ａ）ガイド突起が収納状態の床側ガイドを示す平面図、（Ｂ）ガイド突起が突出状態の床側ガイドを示す正面、（Ｃ）図Ｂ中線Ｘ−Ｘ断面図である。
【図５】磁着手段を示す分解組立図である。
【図６】（Ａ）磁着手段を示す平面図、（Ｂ）引戸と床面間の隙間が所定高さ以上の場合の吸着台の保持高さ位置を説明する概要図である。
【図７】（Ａ）吸着台を上段位置に保持した状態の磁着手段を、対向側板部の一側を破断して示す斜視図、（Ｂ）吸着台を下段位置に保持した状態の磁着手段を、対向側板部の一側を破断して示す斜視図である。
【図８】引戸下部を破断して磁着手段の内部構造を一部拡大して示す斜視図である。
【図９】引戸と床面との間の隙間が所定高さ以下の引戸構造体を、引戸ガイド装置を備えた下部側を一部断面にして引戸の全開状態で示す正面図である。
【図１０】引戸下部を破断して外部操作部材により吸着台の保持高さ位置を調整する状態を示す斜視図である。
【図１１】外部操作部材を、（Ａ）操作穴に押し込んで、（Ｂ）吸着台の保持高さ位置を調整した状態を示す斜視図である。
【図１２】誤って調整した吸着台の保持高さ位置を下段位置から上段位置に外部操作部材により戻す状態を示す斜視図である。
【図１３】引戸を案内する動作を段階的に分けて示す引戸ガイド装置の部分縦断面図である。
【図１４】引戸構造体の下部側を、閉止途中の引戸を引戸ガイド装置で案内する状態において示す縦断面図である。
【図１５】引戸構造体の下部側を、全閉手前の引戸を引戸ガイド装置で案内する状態において示す縦断面図である。
【図１６】引戸構造体の下部側を引戸の全閉状態において示す縦断面図である。
【図１７】引き抜き具を用いて床側ガイドのガイド穴から強制的にガイド突起を引き上げる操作を段階的に（Ａ）（Ｂ）（Ｃ）に分けて示す斜視図である。
【図１８】床側ガイドを断面にして引き抜き具で強制的にガイド突起をガイド穴から引き上げる操作を（Ａ）（Ｂ）に分けて示す斜視図である。
【図１９】本発明の他例の引戸ガイド装置において、（Ａ）押しボタン部を操作穴の外部から押して弾性押圧片を弾性変位させ、（Ｂ）吸着台の保持高さ位置を上段位置から下段位置に調整する状態を示す部分縦断面図である。
【発明を実施するための形態】
【００１６】
以下、図面を参照しつつ、本発明の実施形態について説明する。
【００１７】
図１は、本発明の一例である引戸ガイド装置を示す斜視図、図２は引戸ガイド装置を備えた引戸構造体を引戸の全開状態で示す正面図である。図示例の引戸構造体は、天井側に固定した引戸レールに引戸１０を係合して図中左右の開閉方向に移動自在に懸架すると共に、引戸１０の下端面１０ａと床Ｆ（床面ｆ）との間に隙間ｄを開けて吊り込み、開閉時は、ハンドル１１を持って引戸１０を開閉方向に移動して床Ｆと仕切壁Ｗで囲んだ開口部を開閉する構造になっている。そこで、引戸１０を移動して開口部を開閉するとき、本発明の引戸ガイド装置Ｒが作動し、開閉方向に走行する引戸１０が横振れしないで直進するように案内する。
【００１８】
引戸１０は、例えば木製パネルで、上下の横框と、左右の縦框と、各框間の縦桟および横桟とで格子状に組んだ枠体を間に挟んで一対の鏡板材を張り合わせて組み立て、下部側の横框には、下端面１０ａの長さ方向に沿ってガイド溝１２を凹設している。
【００１９】
引戸ガイド装置Ｒは、床Ｆに配設する床側ガイドＧ１と、引戸１０のガイド溝１２に内設する扉側ガイドＧ２とからなる。
【００２０】
床側ガイドＧ１は、複数のガイド体ａ・ｂ・ｃからなる。ガイド体ａ・ｂ・ｃは、図３および図４に示すように、それぞれ固定筒１３と、ガイドケース１４と、ガイドケース１４に挿設するガイド突起１５と、抜け止めリング１６と、スペーサ１７とを備える。固定筒１３は、内周が八面体の樹脂製円管で、外周面に斜め下向きに多数の引っ掛け爪１３ａ…を突設し、内周の下端縁には、周方向に間隔をあけて複数の係合凹部１３ｂを設け、図中上端の開口縁に環状鍔部１３ｃを外向きに突設してなる。
【００２１】
ガイドケース１４は、樹脂製で、上下両端を開口し、固定筒１３の内形に合わせて外周が八面体状のケース本体部１４ａと、ケース本体部１４ａの図中上端に開いた突出口１８の周縁から円形鍔状に延びるフラットな取付板部１４ｂとからなる。ケース本体部１４ａは、内側に重ねて上側開口が突出口１８の筒状ガイド穴２１を形成している。ガイド穴２１は、円周壁２１ａの一部が平面２１ｂの断面Ｄ形の回転規制穴で形成し、その平面２１ｂの外側に、ガイド穴２１の円周壁２１ｂとケース本体部１４ａの外壁部１４ｃの間に間隙２２を設け、平面２１ｂの下端縁に位置決め用の爪部２１ｃを内向きに突設している。突出口１８の開口縁には、円周部位に抜け止め顎部２１ｄを内向きに突設している（図４（Ｃ）参照）。更に、ケース本体部１４ａは、外壁部１４ｃの下端の対向部位に連結爪１４ｄを外向きに突設している。一方、取付板部１４ｂは、ガイド穴２１の平面２１ｂへ連なる突出口１８の開口縁に向け次第に低く勾配になった案内溝２３を設けてなる。
【００２２】
ガイド突起１５は、それぞれガイドケース１４のガイド穴２１に入れ子状に重ねて組み入れる円筒状の第１凸状部材２４と、第１凸状部材２４に入れ子状に重ねて組み入れるピン状の第２凸状部材２５とからなる。
【００２３】
第１凸状部材２４は、ガイドケース１４のガイド穴２１に合わせて、一部が平面２４ａの断面Ｄ形の回転規制穴が貫通した樹脂製の円筒体で、図中下端の周縁に抜け止め鍔部２４ｂを外向きに突設している。抜け止め鍔部２４ｂには、平面２４ａの下縁において切欠いて位置決め凹部２４ｃを設けてなる。
【００２４】
第２凸状部材２５は、図中上側になる先端の頭部２５ａが笠状のビス形をなす金属の磁性材からなり、基端には、その端面に抜け止めリング１６の嵌合穴１６ａに圧入する一段細軸な凸部２５ｂを軸方向に突設してなる。スペーサ１７は、ガイド穴２１の円周壁２１ｂとケース本体部１４ａの外壁部１４ｃ間の間隙２２に嵌め込み可能な形状に成形した樹脂製の間隔保持ピースである。
【００２５】
そこで、ガイド体ａ・ｂ・ｃは、まず、突出口２６から第１凸状部材２４内に第２凸状部材２５を挿入してから、凸部２５ｂを抜け止めリング１６に圧着して抜け止めし、第２凸状部材２５を、第１凸状部材２４に入れ子式に重ねて突出口２６から出没自在に連結することによってガイド突起１５を組み立てる。それから、ガイド突起１５をガイドケース１４のガイド穴２１に下側開口２７から嵌入する。そのとき、位置決め用の爪部２１ｃを位置決め凹部２４ｃに係合させて第１凸状部材２４を位置決め保持した状態で、ガイド穴２１内に入れ子状に重ねて突出口１８から出没自在に組み入れ、間隙２２には、スペーサ１７を嵌め込んで、位置決め用の爪部２１ｃが位置決め凹部２４ｃから外れないように爪部２１ｃを背面から支えている。
【００２６】
固定筒１３は、図１および図２に示すように、引戸１０が移動する軌跡下の床面ｆに間隔をあけて予め凹設した取付穴ｘ・ｙ・ｚに嵌め入れ、穴周壁に引っ掛け爪１３ａ…を引っ掛けて抜け止め状態で内設する（図４参照）。次いで、固定筒１３内にガイドケース１４のケース本体部１４ａを嵌め込み、取付板部１４ｂを床面ｆに殆ど段差なく載せた状態で、連結爪１４ｄを係合凹部１３ｂに係合させてガイドケース１４を固定筒１３に嵌着する。以って、図１および図２に示すように、戸先側のガイド体ａと中間のガイド体ｂと戸尻側のガイド体ｃをそれぞれ組み立て、引戸１０が移動する軌跡下の床面ｆに床側ガイドＧ１を形成する。
【００２７】
他方、扉側のガイドＧ２は、ガイド溝１２の両端部に内設する一対の磁着手段２９・３０と、ガイド溝１２内で磁着手段２９・３０間に敷設するガイドレール４０とからなる。
【００２８】
磁着手段２９・３０は、格納ケース３５と、格納ケース３５に格納する吸着台４５と、吸着台４５に付設する磁石Ｍを備える。
【００２９】
格納ケース３５は、ガイド溝１２の溝形状に合わせて内部に細長い格納空間Ｓを形成した直方形状の樹脂製箱体で、図５、図６および図７に示すように、上側に吸着台４５の取付ロ３２を開けると共に、底部３５ａに昇降口３４を開け、長さ方向一端の上板片部３５ｂにねじ挿通穴４１設ける一方、他端側には、対向側板部３５ｃの上側からつの状に一対の連結凸部３５ｄを突設し、下側に互いにＬ状に屈曲した一対の係合リブ３５ｅを設けててなる。
【００３０】
加えて、格納ケース３５は、磁着手段２９・３０をガイド溝１２の両端部に内設したとき、端面がガイド溝１２から外部に臨む端部３５ｆに、格納空間Ｓに向けて貫通する操作穴５５を穿設し、上板片部３５ｂには、底部３５ａに向け弾性押圧片６０を垂下し、格納空間Ｓの手前に立設している。弾性押圧片６０は、縦長な立板片６０ａと、立板片６０ａの先端の横長な止め板片６０ｂとでＴ形に成形し、立板片６０ａに格納空間Ｓに向けて第１受け止め部６５を突設してなる。第１受け止め部６５は、立板片６０ａから突出する縦長の支持片部６５ａと、支持片部６５ａの先端の横長な受け６５ｂとでＴ字状に突設し、特に、受け６５ｂが上板片部３５ｂと平行な横向きに突出し、支持片部６５ａの両側で立板片６０ａとの間に一対の逃げ穴５９を形成してなる。一方、格納ケース３５には、弾性押圧片６０の第１受け止め部６５の下側において、対向側板３５ｃの内側板面に吸着台４５を受け止める第２受け止め部６６を段状に形成してなる。
【００３１】
吸着台４５は、樹脂製で、磁石Ｍを入れる嵌付凹部４５ａ・４５ｂを仕切り４５ｃで長さ方向前後に分けて設け、ショベル状の先端部に掛け止め部４５ｄを設けて全体をゴンドラ状に成形している。掛け止め部４５ｄは、間に縦向きの切欠き６９を設けて横２つに切り割りし、切欠端面６９ａに互いに向い合う方向に第１係止凸部７０を突設し、第１係止凸部７０の上側には、第１係止凸部７０と平行な一対の第２係止凸部７５を互いに外向きに突設してなる。嵌付凹部４５ａ・４５ｂには、幅方向に対向した側壁上縁に、磁石Ｍの飛び出しを規制する押えリブ４５ｅを互いに内向きに突設してなる。
【００３２】
磁石Ｍは、厚肉な矩形板状の強磁性の第１磁石ｍ１と、第１磁石ｍ１より一段薄肉な矩形板状の弱磁性の第２磁石ｍ２の２体に分けてなる。
【００３３】
そこで、磁着手段２９・３０は、第１磁石ｍ１を先端側の嵌付凹部４５ａに嵌め込み、第２磁石ｍ２を基端側の嵌付凹部４５ｂに嵌め込んで磁石Ｍを吸着台４５に搭載し、この吸着台４５の基端部を枢軸３８で格納ケース３５に枢支して吸着台４５を格納ケース３５内で揺動自在に片持ちする一方、第１係止凸部７０を第１受け止め部６５に係止して格納空間Ｓに納まる上段位置に保持して組み立ててなる。
【００３４】
ガイドレール４０は、図１に示すように、略角パイプ状をなすレール本体４０ａの下面中央に長さ方向に沿って逃げ溝３３を設け、逃げ溝３３を挟んだ両側に係合リブ４０ｂを平行に列設する。一方、レール本体４０ａの上板部４０ｃには、幅方向両側の角縁を磁着手段２９・３０の連結凸部３５ｄの凸形状に合わせて屈曲させて連結用の係合段部４０ｄを形成している。
【００３５】
そこで、扉側ガイドＧ２は、ガイド溝１２の両端部内に互いの連結凸部３５ｄを向き合わせて磁着手段２９・３０を嵌め込み、連結凸部３５ｄにガイドレール４０の係合段部４０ｄを係合し、互いの係合リブ３５ｅ・４０ｂを一直線に合わせた状態で、ガイドレール４０を磁着手段２９・３０に連結してから、上板部４０ｃを溝底面にねじ止めして組み立ててなる。以って、扉側ガイドＧ２をガイド溝１２に内設する。この組立初期状態において、扉側ガイドＧ２は、図８に示すように、磁着手段２９・３０の吸着台４５を、第１係止凸部７０を第１受け止め部６５に係止させて格納ケース３５の格納空間Ｓ内に格納した上段位置に受け止めて保持してなる。
【００３６】
従って、引戸ガイド装置Ｒは、吊り込み時に、引戸１０の下端面１０ａと床面ｆとの間の隙間ｄが所定高さ以下、例えば１０ｍｍ以下のときは、図８および図９に示すように、扉側ガイドＧ２は初期状態のままとし、磁着手段２９・３０の吸着台４５を、第１係止凸部７０を第１受け止め部６５に係止して格納空間Ｓに格納した上段位置に保持し、磁石Ｍの第１磁石ｍ１を床面ｆまで略１０ｍｍの高さ位置で待機させてなる。
【００３７】
一方、引戸ガイド装置Ｒは、吊り込み時に隙間ｄが所定高さの１０ｍｍ以上の、例えば２０ｍｍのときは、吸着台４５の保持高さ位置を調整し、図６（Ｂ）・図７（Ｂ）に示すように、扉側ガイドＧ２において、磁着手段２９・３０の吸着台４５を、先端部の掛け止め部４５ｄが昇降口３２から高さｈ＝１０ｍｍ突出した下段位置に保持し、磁石Ｍの第１磁石ｍ１を、床面ｆの近くの略１０ｍｍの高さまで下げて待機させてなる。
【００３８】
そこで、引戸ガイド装置Ｒは、吸着台４５の保持高さ位置を下段位置に調整するとき、例えば図８に示すように、外部操作部材５０としてドライバーを用い、その細長い先端部５０ａを、図１０および図１１（Ａ）に示すように、磁着手段２９（３０）の操作穴５５に押し込んで弾性押圧片６０を吸着台４５側へ弾性変位させ、第１受け止め部６５の先端の受け６５ｂから、そこに係止していた第１係止凸部７０を外す。すると、吸着台４５が床面ｆ側の下向きに揺動し、第１係止凸部７０は第１受け止め部６５の逃げ穴５９を通って落下する一方、その上方の第２係止凸部７５が第２受け止め部６６に係止し、吸着台４５を、図２・図６（Ｂ）・図１１（Ｂ）に示すように、先端部の掛け止め部４５ｄが昇降口３４から所定高さｈ＝１０ｍｍ突出した下段位置に受け止めて保持し、磁石Ｍの第１磁石ｍ１を、床面ｆの近くの略１０ｍｍの高さまで下げて待機させてなる。
【００３９】
引戸ガイド装置Ｒは、以上のごとく、引戸１０の吊り込み時に床面ｆとの間の隙間ｄが所定高さの１０ｍｍ以下のときは、第１係止凸部７０を第１受け止め部６５に係止して吸着台４５を格納空間Ｓに納まる上段位置に保持する一方、所定高さの１０ｍｍ以上のときは、外部操作部材５０を操作穴５５に押し込んで弾性押圧片６０を弾性変位させ、第１受け止め部６５から第１係止凸部７０を外して第２係止凸部７５を第２受け止め部６６に係止し、吸着台４５を先端部４５ｄが昇降口３４から所定高さｈ＝１０ｍｍ突出する下段位置に受け止めて保持し、吸着台４５の保持高さ位置を隙間ｄの高さに応じて上段位置と下段位置の２段階に調整可能な構成になっている。
【００４０】
従って、引戸ガイド装置Ｒでは、引戸１０の吊り込み時に床面ｆとの間の隙間ｄが所定高さの１０ｍｍ以上か否かにより、外部操作部材５０を操作穴５５に押し込んで吸着台４５の保持高さ位置を上段位置と下段位置の２段階に簡単に調整し、吸着台４５の嵌付凹部４５ａ・４５ｂに嵌め込んだ磁石Ｍを、隙間ｄの大きさに影響されず、ガイド突起１５にそれを吸引して立ち上がらせる磁力が有効に作用する床面ｆ近くの一定高さの位置に常に待機させることができる。
【００４１】
しかも、図示例の引戸ガイド装置Ｒは、磁着手段２９・３０の格納ケース３５に立設した弾性押圧片６０がＴ形をなすため、吸着台４５の保持高さ位置の調整時に、図１０に示すように、外部操作部材５０を操作穴５５に押し込み過ぎて、仮に弾性押圧片６０が奥側へ深く弾性変位しても、弾性押圧片６０の先端において横に伸びる止め板片６０ｂが吸着台３５の先端部３５ｄに当たって障害となり、その結果、弾性押圧片６０が吸着台３５の先端部３５ｄに開いた切欠き６９に嵌り込んで作動不能になる弊害の発生を防止することができる。
【００４２】
加えて、引戸ガイド装置Ｒは、引戸１０の吊り込み時、床面ｆとの間の隙間ｄが所定高さｈ＝１０ｍｍ以下であるときは、吸着台４５は、第１係止凸部７０を第１受け止め部７０に係止して上段位置に保持した初期状態のままでよいのに、誤って吸着台４５の保持高さ位置を下段位置に下げる調整をしたときは、図１２に示すように、外部操作部材５０のドライバーを用い、改めて先端部５０ａを操作穴５５に押し込んで弾性押圧片６０を吸着台４５側へ弾性変位させる一方、その間に、吸着台４５の先端部４５ｄを押し上げて第１係止凸部７０を逃げ穴５９に通して第１受け止め部６５に係止させて後に、ドライバー５０を操作穴５５から引き抜けば、吸着台４５を上段位置に保持した初期状態に簡単に戻すことができる。
【００４３】
更に、引戸ガイド装置Ｒでは、図１０に示すように、外部操作部材５０を操作穴５５に押し込んで弾性押圧片６０を弾性変位させない限り、吸着台４５の第１係止凸部７０は弾性押圧片６０の第１受け止め部６５と係止する構成であるため、引戸１０と床面ｆとの間の隙間ｄが所定高さの１０ｍｍ以下であるために吸着台４５を下段位置に下げて保持しているときに、振動や衝撃等の外力を受けて吸着台４５が揺動し、浮き上がろうとしても、第１係止凸部７０が第１受け止め部６５に当って浮き上がりを抑え、吸着台４５の保持高さがガイド突起１５に有効に磁力の及ばない上段位置に勝手に戻ってしまうのを防止することができる。
【００４４】
次に、引戸ガイド装置Ｒは、引戸１０が開閉方向に移動して開口部を開閉するとき、扉側ガイドＧ２において、磁着手段２９・３０が床側ガイドＧ１のガイド体（ａ・ｂ・ｃ）に近づいて、図１３（Ａ）に示すように、磁石Ｍの第１磁石ｍ１が床側ガイドＧ１（ガイドａ・ｂ・ｃ）のガイド突起１５の上に至ると、図１３（Ｂ）に示すように、磁力が働いて磁性体からなる内側の第２の凸状部材２５が第１凸状部材２４から引き上げられる。第２凸状部材２５が引き上がると、突出口２６に抜け止めリング１６が係止し［図４（Ｃ）参照］、外側の第１凸状部材２４がガイドケース１４の突出口１８から、図１３（Ｃ）に示すように入れ子式に立ち上がる。すると、引戸１０が開閉方向に移動するに従い、磁石Ｍの第２磁石ｍ２がガイド突起１５を吸引して引き上げた状態で、第２凸状部材２５の頭部２５ａが吸着台４５の底面に当接して係合リブ３５ｅに係合し、さらに図１３（Ｄ）に示すように、ガイドレール４０の係合リブ４０ｂに係合することにより、引戸１０が走行する開閉方向に対して横振れしないで直進するように案内する構造になっている。
【００４５】
従って、引戸ガイド装置Ｒでは、床側ガイドＧ１（ガイド体ａ・ｂ・ｃ）のガイド突起１５を複数の凸状部材２４・２５を入れ子式に重ねて組み入れて構成するから、引戸１０が床面ｆとの間に大きな隙間ｄを開けて吊り込まれていても、引戸下端のガイドレール４０に係合する高さまで突出するのに十分なストロークを確保することができる一方、ガイド突起１５を出し入れ自在に挿設する取付穴ｘ・ｙ・ｚの深さも浅くて済むため、たとえ床材の厚さの範囲内に収まる浅い取付穴でも容易にガイド突起１５を設置することができる。
【００４６】
さて、図示例の引戸構造体では、閉時、図２に示すように、全開した引戸１０を、ハンドル１１を持って矢示する閉方向に引くと、引戸レールの案内で戸車を転動しながら閉方向に引戸１０が動き出して開口部を閉じ始めるが、この閉止途中、引戸ガイド装置Ｒは、図１４に示すように、床側ガイドＧ１の中間ガイド体ｂにおいて、入れ子状に立ち上がったガイド突起１５の第２凸状部材２５の頭部２５ａがガイドレール４０の係合リブ４０ｂに係合し、引戸１０が走行する閉方向に対して横振れしないで直進するように案内する。
【００４７】
それから、引戸１０が閉方向にさらに直進し、扉側ガイドＧ２の戸尻側磁着手段３０が床側ガイドＧ１の中間ガイド体ｂに近づいて、図１３（Ａ）に示すように、吸着台４５の先端側の嵌付凹部４５ａに嵌め込んだ磁石Ｍの第１磁石ｍ１がガイド突起１５の上に至ると、第１磁石ｍ１の磁力により順次、図１３（Ｂ）・（Ｃ）に示すように、第２凸状部材２５と第１凸状部材２４が入れ子式に引き上げられ、ガイド突起１５が鉛直に立ち上がる。すると、引戸１０が閉方向に移動するに従い、吸着台４５の基端側の嵌付凹部４５ｂに嵌め込んだ磁石Ｍの第２磁石ｍ２がガイド突起１５を吸引して引き上げた状態で、第２凸状部材２５の頭部２５ａが吸着台４５の底面に当接し、立ち上がった第２凸状部材２５の頭部２５ａを磁着手段２９・３０の係合リブ３５ｅに係合してから、図１５に示すように、ガイドレール４０の係合リブ４０ｂに係合する一方、そのとき、ガイドレール４０の戸尻側で係合リブ４０ｂに係合した中間ガイド体ｂの第２凸状部材１５は、昇降口３４を通って戸尻側磁着手段３０の係合リブ３５ｅから外れる。従って、その後、引戸１０は、戸先側ガイド体ａのガイド突起１５の案内で横振れしないように直進し、図１６に示すように開口部を全閉する。
【００４８】
図示例の引戸ガイド装置Ｒでは、磁着手段２９・３０は、磁石Ｍを、吸着台４５上の先端側に付設する強磁性の第１磁石ｍ１と、基端側に付設する弱磁性の第２磁石ｍ２の２体に分けて形成し、引戸１０が開閉方向に移動するとき、第１磁石ｍ１が、近づいたガイド突起１５を強い磁力で吸引することにより、一気に引き上げるため、既に引き上げ状態のガイド突起１５は、続いて吸引する第２磁石ｍ２の磁力が弱くても、引き上げ状態のまま保持することでき、それ故に、吸着台４５上の全面にわたり大きな強磁性の磁石を用いる必要がなくなるため、たとえ高価であっても、使用する磁石が全体に小型で済む結果、それだけコストを著しく低く抑えることができる。
【００４９】
しかも、引戸ガイド装置Ｒでは、引戸１０が床面ｆとの間に大きく２０ｍｍの隙間ｄを開けて吊り込まれていても、図６および図７に示すように、扉側ガイドＧ２において磁着手段２９・３０の吸着台４５を、先端部４５ｄが格納ケース３５の昇降口３４から高さｈ＝１０ｍｍ突出した下段位置に保持し、磁石Ｍの強磁性の第１磁石ｍ１が床面ｆまで残り１０ｍｍの高さの床面ｆ近くまで下がって待機するため、磁力を十分に及ぼして第２凸状部材２５を吸引して入れ子式にガイド突起１５を鉛直に立ち上げ、第２凸状部材２５の頭部２５ａをガイドレール４０の係合リブ４０ｂに確実に係合させることができる。従って、たとえ引戸１０と床面ｆ間の隙間ｄが大きいために引戸側の磁石Ｍと床Ｆ側のガイド突起１５とが離れ過ぎないように、例えば引戸をわざわざ取り外し、床面ｆとの間の隙間を調整する作業が必要でなくなり、また、磁力が離れたガイド突起１５まで及ぶように、元々高価な磁石Ｍをより大型な強磁性のものにわざわざ取り替える必要もなくなるため、それだけコストを著しく低減することもできる。
【００５０】
他方、引戸ガイド装置Ｒでは、図９に示すように、引戸１０と床面ｆとの間の隙間ｄが所定高さ＝１０ｍｍ以下の場合でも、磁着手段２９・３０の吸着台４５は、先端部４５ｄが昇降口３４から床面ｆ側に突出することなく、格納ケース１４の格納空間に納まった上段位置に保持されるため、開閉時、引戸１０を移動するときに、吸着台４５の先端部４５ｄが床面ｆに接触して引戸１０の走行の妨げになることなく、引戸１０を横振れしないように案内することができる。
【００５１】
ところで、引戸ガイド装置Ｒでも、床側ガイドＧ１において、ガイド体ａ・ｂ・ｃのガイドケース１４のガイド穴２１に塵や埃が詰まってガイド突起１５の引き上げ動作が鈍くなったり、ワックス等の異物でガイド突起１５が固まったためにガイド突起１５を強制的に引き上げて掃除をしたり修理したりする必要がある。そこで、引戸ガイド装置Ｒは、図１７（Ａ）・図１８（Ａ）に示すように、ガイドケース１４の取付板部１４ｂには、突出口１８の開口縁に向けて漸次低く勾配になった案内溝２３を設けた構成であるため、図１７（Ｂ）・図１８（Ｂ）に示すように、引き抜き具８０として、例えばマイナスドライバーを用い、その先端部８０ａを案内溝２３に滑り込ませて、ガイド穴２１の突出口１８と第２凸状部材２５の頭部２５ｂとの間に引っ掛けるだけで、図１７（Ｃ）に示すように、ガイド穴２１からガイド突起１５を簡単に引き上げることができる。
【００５２】
以上の図示実施の形態では、磁着手段２９・３０は、外部操作部材５０の先端部５０ａを操作穴５５に押し込んで弾性押圧片６０を弾性変位させることにより、吸着台４５の保持高さ位置を調整する例を示したが、本発明では、そのように外部操作部材を用いる例に限られず、例えば図１９（Ａ）・（Ｂ）に示すように、弾性押圧片６０に押しボタン部８５を備え、その押しボタン部８５を操作穴５５の外部から押圧操作して弾性押圧片６０を弾性変位させることにより吸着台４５の保持高さ位置を調整する構成にすることもできる。
【００５３】
図示他例の引戸ガイド装置Ｒでは、上述した第１の例に代え、操作穴５５は、樹脂製の格納ケース３５の端部３５ｆに、指が入るようにすり鉢状に穿設する一方、弾性押圧片６０は、上板片部３５ｂから垂下する立板片６０ａの第１受け止め部６５の反対側板面から軸状に押しボタン部８５を突設し、先端のボタン頭部８５ａを操作穴５５に嵌挿して外部に臨ませた構成にする。
【００５４】
そこで、図示他例の引戸ガイド装置Ｒは、吊り込み時に、引戸１０と床面ｆとの間の隙間ｄが所定高さ以下の１０ｍｍ以下のときは、図１９（Ａ）に示すように、上記第１の例と同様に、磁着手段２９・３０の吸着台４５を、第１係止凸部７０を第１受け止め部６５に係止して格納空間Ｓに格納した上段位置に保持し、磁石Ｍの第１磁石ｍ１を床面ｆまで略１０ｍｍの高さ位置で待機させる。そして、この吸着台４５の保持高さ位置を下段位置に調整するときは、例えば指を操作穴５５に入れ、図１９（Ｂ）に示すように、押しボタン部８５を押して弾性押圧片６０を吸着台４５側へ弾性変位させれば、第１係止凸部７０が第１受け止め部６５から外れて上方の第２係止凸部７５が第２受け止め部６６に係止し、吸着台４５を、その先端部４５ｄが昇降口３４から所定高さｈ＝１０ｍｍ突出した下段位置に受け止めて保持し、磁石Ｍの第１磁石ｍ１を、床面ｆの近くの略１０ｍｍの高さまで下げて待機させることができる。
【００５５】
このように図示他例では、外部操作のためにわざわざ操作具を使わずとも、押しボタン部８５を操作穴５５の外部から、指で押圧操作するだけで簡単に吸着台４５の保持高さ位置を調整することができる。
【符号の説明】
【００５６】
Ｆ                床
Ｇ１              床側ガイド
Ｇ２              扉側ガイド
Ｒ                引戸ガイド装置
Ｓ                格納空間
Ｍ                磁石
ａ・ｂ・ｃ        ガイド体
ｍ１              第１磁石
ｍ２              第２磁石
ｘ・ｙ・ｚ        取付穴
１０              引戸
１０ａ            引戸の下端面
１２              ガイド溝
１４              ガイドケース
１４ｂ            取付板部
１５              ガイド突起
１８              突出口
２３              案内溝
２４              第１凸状部材
２５              第２凸状部材
２９・３０        磁着手段
３４              昇降口
３５              格納ケース
４０              ガイドレール
４０ｂ            係合リブ
４５              吸着台
４５ｄ            吸着台の先端部
５０              操作穴
５５              外部操作部材
６０              弾性押圧部
６５              第１受け止め部
６６              第２受け止め部
７０              第１係止凸部
７５              第２係止凸部
８０              引き抜き具
８５              押しボタン部
【図１】
2013002262.tif 000003
【図２】
2013002262.tif 000004
【図３】
2013002262.tif 000005
【図４】
2013002262.tif 000006
【図５】
2013002262.tif 000007
【図６】
2013002262.tif 000008
【図７】
2013002262.tif 000009
【図８】
2013002262.tif 000010
【図９】
2013002262.tif 000011
【図１０】
2013002262.tif 000012
【図１１】
2013002262.tif 000013
【図１２】
2013002262.tif 000014
【図１３】
2013002262.tif 000015
【図１４】
2013002262.tif 000016
【図１５】
2013002262.tif 000017
【図１６】
2013002262.tif 000018
【図１７】
2013002262.tif 000019
【図１８】
2013002262.tif 000020
【図１９】
2013002262.tif 000021